(57)【特許請求の範囲】
【請求項１】
一面が電線当接面となった導電片を有し、この導電片の端部から電線当接面側へ折曲されて基部に前記電線当接面に臨む電線挿入孔が設けられた折曲片を有し、この折曲片の先端から前記電線当接面へ向かって折曲されて先端と前記電線当接面との間に前記電線挿入孔から挿入された電線を挟持抜止めする鎖錠片を有する端子金具と、
この端子金具を収納する端子収納部を有し前記電線挿入孔に整合する電線挿入穴を有する絶縁性の端子カバーと、
前記電線が前記鎖錠片に対して引き抜くことができる程度に、前記折曲片と前記鎖錠片の曲げ部の近傍を前記電線の挿入方向と反対向きに弾性変形させる解除操作具とを備え、
前記端子カバーは、前記電線挿入穴を有する壁面の内面に前記解除操作具により押された前記曲げ部の近傍を移動させるスペースを設けた電線接続装置。
【請求項２】
前記解除操作具は、前記折曲片と前記鎖錠片との間に配置した請求項１記載の電線接続装置。
【請求項３】
前記解除操作具は、前記曲げ部および前記端子カバーを貫通するとともに前記端子カバーの外表面に沿った略口の字形に形成されている請求項１記載の電線接続装置。
【請求項４】
前記解除操作具は、前記端子カバーの両側面に枢支されている請求項３記載の電線接続装置。
【請求項５】
前記解除操作具は複数の端子を一括解除する請求項１記載の電線接続装置。
【請求項６】
前記解除操作具は前記鎖錠片の前記折曲片側端部を前記スペースに向けて押圧する請求項１記載の電線接続装置。
【発明の詳細な説明】
【０００１】
【発明の属する技術分野】
この発明は、電線を挿入することで電気的に接続し、かつ挟持抜け止めする速結鎖錠型の端子を有する電線接続装置に関するものである。
【０００２】
【従来の技術】
従来例（例えば実開平1-60462 号) の電線接続装置は、図１３に示すように鎖端子カバー５１の錠端子収納部５０と連通するように、端子カバー５１の上面に設けられた解除孔５２よりドライバー等の解除用治具を挿入し、その解除用治具が鎖錠端子５３の導電片５３ａの切欠５４を経て鎖錠片５５を直接押し当てることにより電線５６の鎖錠解錠を行なっていた。
【０００３】
【発明が解決しようとする課題】
しかし、従来の技術では、電線接続装置の上面よりドライバー等の解除用治具を挿入し鎖錠片５５に直接押し当てる構成をとるため、導電片５３ａが邪魔にならないようにするための切欠５４を設ける必要があった。さらに電線５６が変形している場合切欠５４に電線５６が入り込み解除用治具と鎖錠片５５の間に電線５６が介在し、電線５６の解除性を悪くする。また、少なくとも２つ以上の鎖錠端子を持つ電線接続装置の場合、電線の解除を行なう際、それぞれの解除孔より解除用治具を挿入し解錠解除を行なうという手間を要していた。
【０００４】
したがって、この発明の目的は、電線の解除を良好にできる電線接続装置を提供することである。
【０００５】
【課題を解決するための手段】
請求項１記載の電線接続装置は、一面が電線当接面となった導電片を有し、この導電片の端部から電線当接面側へ折曲されて基部に前記電線当接面に臨む電線挿入孔が設けられた折曲片を有し、この折曲片の先端から前記電線当接面へ向かって折曲されて先端と前記電線当接面との間に前記電線挿入孔から挿入された電線を挟持抜止めする鎖錠片を有する端子金具と、
この端子金具を収納する端子収納部を有し前記電線挿入孔に整合する電線挿入穴を有する絶縁性の端子カバーと、
前記電線が前記鎖錠片に対して引き抜くことができる程度に、前記折曲片と前記鎖錠片の曲げ部の近傍を前記電線の挿入方向と反対向きに弾性変形させる解除操作具とを備え、
前記端子カバーは、前記電線挿入穴を有する壁面の内面に前記解除操作具により押された前記曲げ部の近傍を移動させるスペースを設けたものである。
【０００６】
請求項１記載の電線接続装置によれば、従来の技術に比べ解除操作の部位と電線の挟持解除の部位が離れるため、解除治具と鎖錠片の間に電線が介在して解除操作性を悪くさせるという問題を解決でき、電線の解除が簡単にできる。
【０００７】
請求項２記載の電線接続装置は、請求項１において、前記解除操作具が、前記折曲片と前記鎖錠片との間に配置したものである。
【０００８】
請求項２記載の電線接続装置によれば、請求項１と同様な効果がある。
【０００９】
請求項３記載の電線接続装置は、請求項１において、前記解除操作具が、前記曲げ部および前記端子カバーを貫通するとともに前記端子カバーの外表面に沿った略口の字形に形成されているものである。
【００１０】
請求項３記載の電線接続装置によれば、請求項１と同様な効果のほか、電線接続装置の取付時に解除操作のための側方のスペースが確保できない場合等に活用できる。
【００１１】
請求項４記載の電線接続装置は、請求項３において、前記解除操作具が、前記端子カバーの両側面に枢支されているものである。
【００１２】
請求項４記載の電線接続装置によれば、請求項３と同様な効果のほか、解除操作具の解除操作方向と電線の引抜き方向が逆方向のため、電線解除操作を行って電線引抜きする時に電線接続装置ごと電線引抜き方向へ移動してしまうという問題がなくなり、解除操作性の向上につながる。
【００１３】
請求項５記載の電線接続装置は、請求項１において、前記解除操作具が複数の端子を一括解除するものである。
【００１４】
請求項５記載の電線接続装置によれば、請求項１と同様な効果のほか、各端子金具がほぼ平行に並んでいるものであれば端子金具の折曲片と鎖錠片の曲げ部近傍に端子カバーの側面に設けられた解除孔に通して解錠操作治具を各々の端子金具の曲げ部に当接させ解除することにより電線の一括解除が可能である。
【００１５】
請求項６記載の電線接続装置は、請求項１において、前記解除操作具が前記鎖錠片の前記折曲片側端部を前記スペースに向けて押圧するものである。
【００１６】
請求項６記載の電線接続装置によれば、請求項１と同様な効果ほか、解除操作具を曲げ部内に挿入するものと比較して挿入精度の規制を緩和できる。
【００１７】
【発明の実施の形態】
この発明の第１の実施の形態を図１から図６により説明する。すなわち、この電線接続装置は、端子金具１と、端子カバー３と、解除操作具４とを有する。
【００１８】
端子金具１は、一面が電線当接面１ａとなった導電片１ａ′を有し、この導電片１ａ′の端部１ｂから電線当接面１ａ側へ折曲されて基部に電線当接面１ａに臨む電線挿入孔１ｃが設けられた折曲片１ｄを有し、この折曲片１ｄの曲げ部１ｅから電線当接面１ａへ向かって例えば略Ｒ形状に折曲されて先端が導電片１ａ′に対向して係止し、電線挿入孔１ｃから挿入された電線２を電線当接面１ａとの間で挟持抜止めする鎖錠片１ｆを有する。実施の形態の端子金具１は導電性の帯板により形成している。
【００１９】
絶縁性の端子カバー３は、この端子金具１を収納する端子収納部３ｈを有し、電線挿入孔１ｃに整合する電線挿入穴３ｃを有し、電線挿入穴３ｃを有する壁３ｂの内面に解除操作用のスペース３ｇを設ける。実施の形態では、端子カバー２の一側に端子金具を装入するための開口部３ａを設け、開口部３ａと反対側を壁３ｂとして電線挿入穴３ｃを設け、スペース３ｇを壁３ｂの電線挿入穴３ｃ側が壁厚となり電線挿入穴３ｃと反対側が壁薄となる斜面により凹設している。３ｆは解除操作具４を通すための解除孔であり、曲げ部１ｅを解除操作に必要な長さｄだけ移動させるのに十分な長さｄの長孔に形成している。
【００２０】
解除操作具４は、電線２が鎖錠片１ｆに対して引き抜くことができる程度に、折曲片１ｄと鎖錠片１ｆの曲げ部１ｅの近傍を電線２の挿入方向と反対向きに弾性変形させる。解除操作具４により押された曲げ部１ｅの近傍は端子カバー３のスペース３ｇ内に移動する。実施の形態の解除操作具４は、一端に柄４ａの付いた棒状であり、解除孔３ｆを通して挿入され、端子金具１の折曲片１ｄと鎖錠片１ｆの曲げ部１ｅ近傍で、折曲片１ｄと鎖錠片１ｆとの間に挿入している。
【００２１】
図６（ａ）は電線２を電線挿入穴３ｃおよび電線挿入孔１ｃに通し電線当接面１ａと鎖錠片１ｆとの間に挟持した速結状態である。図６（ｂ）は解除操作具４により折曲片１ｄを電線挿入方向と反対向きに押して端子カバー３のスペース３ｇに移動させ、鎖錠片１ｆの先端を電線から離した電線解除状態であり、これにより電線２を引き抜くことができる。
【００２２】
第１の実施の形態によれば、従来の技術に比べ解除操作の部位と電線の挟持解除の部位が離れるため、解除用治具と鎖錠片の間に電線が介在して解除操作性を悪くさせるという問題を解決でき、電線２の解除が簡単にできる。また電線解除時に端子金具１の折曲片１ｄが端子カバー２の端子収納部３ｈのスペース３ｇの斜面に当接されるため、端子金具１の過剰変形を抑えることができる。
【００２３】
この発明の第２の実施の形態を図７に示す。すなわち、この電線接続装置は、第１の実施の形態において、解除操作具４を鎖錠片１ｆの曲げ部１ｅ側、すなわち折曲片１ｄと鎖錠片１ｆの曲げ部１ｅの外面を押すように、解除孔３ｆにより位置決めしている。この実施の形態によれば、曲げ部１ｅ内の挿入に比べ棒状の解除操作具４の挿入精度の規制を緩和できる。その他は第１の実施の形態と同様である。
【００２４】
この発明の第３の実施の形態を図８に示す。すなわち、この電線接続装置は、第１の実施の形態において、端子カバー３の壁３ｂの内面に設けるスペース３ｇすなわち電線解除時の端子金具１の曲げ部１ｅの解除操作スペースを斜面ではなく壁３ｂの壁面に平行な略凹形状に凹設している。このようにすると、端子カバー３の肉厚を均肉化でき成形時のひけ等が生じにくく、成形材料の削減が可能である。また折曲片１ｄが支持されるスペース３ｇの縁部３ｇ′（折曲片１ｄが曲がる点）と解除操作具４が曲げ部１ｅを押す位置との距離が、第１の実施の形態に比べて短くなるので、鎖錠片１ｆの先端が電線２から離れるのに必要な鎖錠片１ｆの傾斜角度をほぼ同じとすると、曲げ部１ｅの移動量を図３の移動量ｄよりも短くできその分スペース３ｇの深さを浅くでき、壁厚３ｈを厚くできる。その他は第１の実施の形態と同様である。
【００２５】
この発明の第４の実施の形態を図９に示す。すなわち、この電線接続装置は、第３の実施の形態において、スペース３ｇに折曲片１ｄに当接して折曲片１ｄの過剰変形を防止するリブ３ｉを形成している。またこれにより端子カバー３の電線挿入穴３ｃを有する壁３ｂの内側の強度が増す。その他は第３の実施の形態と同様である。
【００２６】
この発明の第５の実施の形態を図１０に示す。すなわち、この電線接続装置は、第１の実施の形態において、解除孔３ｆを端子カバー３の一対の対向側壁にそれぞれ設け、棒状の解除操作具４を一対の端子金具１の曲げ部１ｅに通したものである。
【００２７】
第５の実施の形態によれば、解除操作具４は複数の端子金具１を一括解除するため作業容易になる。また解除操作具の挿入作業を省くことができるとともに、別途に治具を必要としない。その他は第１の実施の形態と同様である。
【００２８】
この発明の第６の実施の形態を図１１に示す。すなわち、この電線接続装置は、第５の実施の形態において、解除操作具４を棒状から略口の字形のリング状に代えて、曲げ部１ｅおよび端子カバー３の解除孔３ｆを貫通するとともに端子カバー３の外表面に沿った略口の字形に形成している。すなわち解除操作具４は端子カバー３の貫通部４ｅと、その両側部４ｃ、４ｄと、両側部４ｃ、４ｄ間をつなぐ操作部４ａからなる。操作部４ａが端子カバー３の表面に位置することにより、電線接続装置の取付時に解除操作のための側方のスペースが確保できない場合等に活用することができる。その他は第５の実施の形態と同様である。
【００２９】
この発明の第７の実施の形態を図１２に示す。すなわち、この電線接続装置は、第６の実施の形態において、解除操作具４の両側を端子カバー３の両側壁３ｅの支点部５で枢支するものである。これにより、電線解除操作方向Ａと電線引抜き方向Ｂが逆方向になるために電線解除操作を行い電線２を引抜く時に電線接続装置ごと電線引抜き方向へ移動してしまうという問題がなくなり、解除操作性の向上につながる。その結果、電線解除操作が容易になる。その他は第６の実施の形態と同様である。
【００３０】
【発明の効果】
請求項１記載の電線接続装置によれば、従来の技術に比べ解除操作の部位と電線の挟持解除の部位が離れるため、解除治具と鎖錠片の間に電線が介在して解除操作性を悪くさせるという問題を解決でき、電線の解除が簡単にできる。
【００３１】
請求項２記載の電線接続装置によれば、請求項１と同様な効果がある。
【００３２】
請求項３記載の電線接続装置によれば、請求項１と同様な効果のほか、電線接続装置の取付時に解除操作のための側方のスペースが確保できない場合等に活用できる。
【００３３】
請求項４記載の電線接続装置によれば、請求項３と同様な効果のほか、解除操作具の解除操作方向と電線の引抜き方向が逆方向のため、電線解除操作を行って電線引抜きする時に電線接続装置ごと電線引抜き方向へ移動してしまうという問題がなくなり、解除操作性の向上につながる。
【００３４】
請求項５記載の電線接続装置によれば、請求項１と同様な効果のほか、各端子金具がほぼ平行に並んでいるものであれば端子金具の折曲片と鎖錠片の曲げ部近傍に端子カバーの側面に設けられた解除孔に通して解錠操作治具を各々の端子金具の曲げ部に当接させ解除することにより電線の一括解除が可能である。
【００３５】
請求項６記載の電線接続装置によれば、請求項１と同様な効果ほか、解除操作具を曲げ部内に挿入するものと比較して挿入精度の規制を緩和できる。
【図面の簡単な説明】
【図１】この発明の第１の実施の形態の動作状態を示し、（ａ）は電線挿入状態の断面図、（ｂ）は電線解除状態の断面図である。
【図２】電線接続装置の外観を示し、（ａ）は解除操作具の挿入前の斜視図、（ｂ）は解除操作具の挿入状態の斜視図である。
【図３】（ａ）は電線接続装置の断面図、（ｂ）はその解除孔を横切る部分断面図である。
【図４】端子カバーの破断斜視図である。
【図５】端子金具を示し、（ａ）は電線当接面側からみた斜視図、（ｂ）は電線挿入孔側からみた斜視図、（ｃ）は電線挿入孔のある折曲片を正面にみた正面図である。
【図６】動作状態を示し、（ａ）は電線挿入時の側面図、（ｂ）は電線解除時の側面図である。
【図７】第２の実施の形態の動作状態を示し、（ａ）は電線挿入状態の断面図、（ｂ）は電線解除状態の断面図である。
【図８】第３の実施の形態の動作状態を示し、（ａ）は電線挿入状態の断面図、（ｂ）は電線解除状態の断面図である。
【図９】第４の実施の形態の動作状態を示し、（ａ）は電線挿入状態の断面図、（ｂ）は電線解除状態の断面図である。
【図１０】第５の実施の形態を示し、（ａ）は電線挿入状態の断面図、（ｂ）は電線解除操作具に沿って横切った状態の断面図、（ｃ）は外観斜視図である。
【図１１】第６の実施の形態を示し、（ａ）は断面図、（ｂ）は斜視図である。
【図１２】第７の実施の形態を示し、（ａ）は断面図、（ｂ）はその断面図、（ｃ）は斜視図である。
【図１３】従来例の断面図である。
【符号の説明】
１    端子金具
１ａ    電線当接面
１ａ′  導電片
１ｂ    端部
１ｃ    電線挿入孔
１ｄ    折曲片
１ｅ    曲げ部
１ｆ    鎖錠片
２    電線
３    端子カバー
３ｃ    電線挿入穴
３ｇ    スペース
４    解除操作具
５    支点部
【図１】
0003875433.tif 000002
【図２】
0003875433.tif 000003
【図３】
0003875433.tif 000004
【図４】
0003875433.tif 000005
【図５】
0003875433.tif 000006
【図６】
0003875433.tif 000007
【図７】
0003875433.tif 000008
【図８】
0003875433.tif 000009
【図９】
0003875433.tif 000010
【図１０】
0003875433.tif 000011
【図１１】
0003875433.tif 000012
【図１２】
0003875433.tif 000013
【図１３】
0003875433.tif 000014